(57)【要約】      （修正有）【課題】老齢などによって寝たきりのペットが排泄してもペットの体が汚れにくく、褥瘡になりにくいペット介護用マットを提供する。【解決手段】通気性及び透水性に優れた三次元網状構造体からなる弾性マット２と、前記弾性マット２が載置される防水シート３とで構成されるペット介護用マット１であって、前記弾性マットは前記三次元網状構造体の少なくとも一部をカバー２３で覆わずに使用される。三次元網状構造体は、熱可塑性エラストマーや熱可塑性樹脂を溶融押出して連続線条体を形成し、ついでこの溶融状態の連象線条を曲がりくねらせてランダムループを形成し、隣接する線条相互を溶融状態で溶着させてなるものである。【選択図】図５
2017108648.tif 000002
【特許請求の範囲】
【請求項１】
通気性及び透水性に優れた三次元網状構造体からなる弾性マットと、前記弾性マットが載置される防水シートとで構成されるペット介護用マットであって、前記弾性マットは前記三次元網状構造体の少なくとも一部をカバーで覆わずに使用されることを特徴とするペット介護用マット。
【請求項２】
前記弾性マットが平面視略矩形であり、そのおよそ半分がカバーに覆われており、残りのおよそ半分はカバーに覆われていないことを特徴とする請求項１に記載のペット介護用マット。
【請求項３】
前記防水シートには吸水・保水性の層が設けられていることを特徴とする請求項１又は請求項２に記載のペット介護用マット。
【発明の詳細な説明】
【技術分野】
【０００１】
本発明は、高齢や怪我、病気などで寝たきりとなっているペットの介護用マットに関するものである。
【背景技術】
【０００２】
屋内でペットを飼う場合、ベッドの他に専用のトイレを設けてトイレで排泄するようにしつける。老齢などでペットが動けなくなると紙おむつを使用することもあるが、サイズがなかなか合わない、値段が高い、ペットが紙おむつの装着を嫌がる、飼い主の手間がかかるなどの問題点がある。さらに、ペットがほとんど寝たきりで動かない場合に紙おむつを使用すれば蒸れて膀胱炎になりやすい。
【０００３】
紙おむつを使用しない場合は、ペットシートを敷いたベッドにペットを寝かせたままの状態で排泄させることが行われている。この場合、ペットのお尻周りが糞尿で汚れないようお尻周りの毛をバリカンで短く刈っておくなど、衛生環境を悪化させないような工夫がされている。
【０００４】
ペットシートは尿を吸収・保持するが、尿を保持した状態で圧が加わると尿がしみ出る。それが寝たきりのペットの体に付くので衛生的に好ましくない。また、ペットシート取替えの費用と手間は問題として残る。
【０００５】
ペットシートからしみ出た尿によってペットが不衛生になるという問題点を解決するために、ペット用トイレの観点から、尿をトイレ内のシートに吸収させるのではなく、トイレ本体を透過させることが提案されている。特開２００１−３４６４７２号公報には箱型容器の中に金網を設けたペット用トイレが記載されており、糞についても水道水などで網から下の容器に流せると記載されている。特開２００３−２３５３８９号公報には受け皿（トイレ本体）の中に格子状基枠でできたトイレマットをを備えたペット用トイレが記載されている。特開２００６−４２７８６号公報にはトイレ本体内にパンチング状スノコを設けた犬のトイレ器具が記載されている。これら従来の技術は、尿を金網やスノコを透過させて下部の容器内に導く点が特徴で、ペットがペットシートに接触しないのでペットの体が尿で汚れにくい。
【先行技術文献】
【特許文献】
【０００６】
【特許文献１】特開２００１−３４６４７２号公報
【特許文献２】特開２００３−２３５３８９号公報
【特許文献３】特開２００６−４２７８６号公報
【発明の概要】
【発明が解決しようとする課題】
【０００７】
上記従来の技術はトイレとしては尿がペットの体に付かないので好ましいが、金網やスノコが柔軟性に欠けるので、ペットをずっと寝かせておくと褥瘡になりやすく、ベッドには適さない。
【課題を解決するための手段】
【０００８】
上記問題を解決するために、請求項１に記載の発明は、通気性及び透水性に優れた三次元網状構造体からなる弾性マットと、前記弾性マットが載置される防水シートとで構成されるペット介護用マットであって、前記弾性マットは前記三次元網状構造体の少なくとも一部をカバーで覆わずに使用されることを要旨とする。請求項２に記載の発明は、請求項１に記載の発明において、前記弾性マットが平面視略矩形であり、そのおよそ半分がカバーに覆われており、残りのおよそ半分はカバーに覆われていないことを要旨とする。請求項３に記載の発明は、請求項１又は請求項２に記載の発明において、前記防水シートには吸水・保水性の層が設けられていることを要旨とする。
【発明の効果】
【０００９】
本発明のペット介護用マットによると、通気性及び透水性に優れた三次元網状構造体からなる弾性マットを用いたのでペットの褥瘡が防止できる。また、その少なくとも一部がカバーで覆われていないので、カバーで覆われていない部分にペットの下半身を載せれば排泄された糞尿は速やかに三次元網状構造体内部に侵入してペットの体が汚れにくい。三次元網状構造体が平面視略矩形であり、そのおよそ半分がカバーで覆われており、残りのおよそ半分はカバーに覆われていない場合は、ペットの上半身をカバー付きの部分に載せ、下半身をカバー無しの部分に載せることにより、糞尿はマット内部に侵入させて表面部が清潔に維持され、上半身は滑らかで柔らかい触感のカバーに触れるので褥瘡がなお一層褥瘡が防止できる。また、上半身の毛が三次元網状構造体に絡まない。防水シートに吸水・保水性の層が設けられた場合は、三次元網状構造体から流下する尿を完全に補足できるので周囲が汚れない。
【図面の簡単な説明】
【００１０】
【図１】本発明に係る実施例１のペット介護用マットを示す斜視図である。
【図２】図１の中央横断面図である。
【図３】本発明に係る実施例２のペット介護用マットを示す斜視図である。
【図４】図３の中央横断面図である。
【図５】本発明に係る実施例２のペット介護用マットにペットを載せた状態を示す斜視図である。
【発明を実施するための形態】
【００１１】
本発明のペット介護用マットは、通気性及び透水性に優れた三次元網状構造体からなる弾性マットと、弾性マットが載置される防水シートとで構成される。三次元網状構造体は、熱可塑性エラストマー又は熱可塑性樹脂を溶融押出して連続線条体を形成し、この連続線状体をループさせて線条体相互の接触部分を溶着して一体化した空隙率の高い高反発クッション体であり、体圧分散性に優れ、むれを低減し、寝返りが打ちやすく褥瘡を予防するのに好適なクッション体である。
【実施例１】
【００１２】
図１は、本発明の実施例１に係るペット介護用マット１の斜視図であり、図２は図１の中央横断面図である。弾性マット２は、ポリエステル系熱可塑性エラストマーを溶融押出して連続線条体２２を形成し、ついでこの溶融状態の連象線条体２２を曲がりくねらせてランダムループを形成し、隣接する連続線条体２２相互を溶融状態で溶着させてなる三次元網状構造体２１からなる。寸法は厚さ４０ｍｍ×６００ｍｍ×９００ｍｍである。弾性マット２はカバーで覆われておらず、三次元網状構造体２１が剥き出しになっている。
【００１３】
三次元網状構造体２１は、大きなサイズのものを裁断して使用すると端面において連続線条体２２が自由端となるので、圧縮された場合の永久変形（ヘタリ）が大きくなる。また連続線条体２２の自由端が露出するのでペットＰの毛が絡まりやすい。従って、三次元網状構造体２１は製造したサイズのものをそのまま使用するか、大きなサイズの三次元網状構造体２１を裁断したものを加熱プレス成形して端部を喰い切ることによって、端面に連続線条体２２の自由端を出さない方が望ましい。
【００１４】
弾性マット２の下には防水シート３が敷かれている。防水シート３は表面層３１がレーヨンとポリエステル混紡の不織布からなる吸水・保水性の層で、裏面層３２は滑り止め加工の樹脂をラミネートした防水層であり、洗濯可能で繰り返し使用できるタイプを使用している。防水シート３は、弾性マット２から流下する尿で床が汚れないように弾性マット２よりサイズを大きくしてある。
【００１５】
実施例１に係るペット介護用マット１を使用する際は、まず、床に防水シート３を敷きその上に弾性マット２を置く。次に体の不自由なペットＰを載せてベッドとして使用する。弾性マット２は空隙率が高く通気性に優れた三次元網状構造体２１でできているのでペットＰの褥瘡が予防される。三次元網状構造体２１がクッション性に優れた高反発マットなのでペットＰが寝返りしやすいことも褥瘡防止につながっている。
【００１６】
ペットＰが排泄した場合、尿は空隙率の高い三次元網状構造体２１内を透過し、防水シート３上に流下する。流下した尿は防水シート３の吸水・保水性の層に捕捉されるので床を汚すことはない。糞も三次元網状構造体２１内に侵入するのでそのままにしておき、弾性マット２を取り替えた際に丸洗いする。弾性マット２上に水道水などを勢いよく放水すれば容易に洗うことができる。尿も糞も弾性マットの表面に滞留しないので、ペットＰの体が汚れにくく、衛生的である。弾性マット２と防水シート３は、排泄の度に取り替えてもよいし、数回の排泄後に取り替えてもよい。
【実施例２】
【００１７】
図３は、本発明の実施例２に係るペット介護用マット１の斜視図である。図４は図３の中央横断面図である。この実施例では、弾性マット２が三次元網状構造体２１からなるのは実施例１と同じであるが、三次元網状構造体２１のおよそ半分にカバー２３を被せ、他のおよそ半分にはカバー２３を被せていない点が異なる。
【００１８】
カバー２３は伸縮性や通気性に優れたポリエステル製のものを使用しており、滑らかで柔らかく、肌触りの良い触感を有する。カバー２３で覆われた部分にペットＰの上半身を載せ、カバー２３のない部分に下半身を載せる。この実施例で防水シート３は、透水性の不織布などの表面シート３３と、滑り止めを効果のある非透水性の裏面シート３５と、表面シート３３と裏面シート３５の間の吸水・保水性の中間層３４とからなる使い捨てのタイプを使用している。防水シート３は使い捨てのペットシートを複数枚、端部を重ね合わせて使用ししてもよい。
【００１９】
実施例２に係るペット介護用マット１を使用する際は、まず、三次元網状構造体２１にカバー２３を被せて弾性マット２とする。カバー２３は三次元網状構造体２１のサイズのおよそ半分で、三次元網状構造体２１の半分ほどがカバー２３で覆われる。床に防水シート３を敷いてその上に弾性マット２を置く。ペットＰの上半身側がカバー２３で覆われた部分に、下半身側がカバー２３のない部分に載るようにペットＰを横たえる。ペットＰが排泄した場合は、実施例１と同様糞尿が空隙率の高い三次元網状構造体２１内に侵入するので、ペットＰの体が汚れにくく衛生的である。三次元網状構造体２１内に侵入した尿は、防水シート３の吸水・保水性の層に捕捉されるので床を汚すことはない。ペットＰの上半身が三次元網状構造体２１の滑らかで柔らかい触感のカバー２３に触れるのでペットＰの上半身は実施例１よりなお一層褥瘡が防止される。また、上半身の毛が三次元網状構造体２１に絡まない。ペットＰは体が不自由でほとんど動けないので、上半身がカバー２３部分から外れたり、下半身がカバー２３のない部分から外れることはない。
【００２０】
本実施例で使用した三次元網状構造体２１の例として、東洋紡株式会社製の「ブレスエアー」（登録商標）や同様の構造ででさらに空隙率の高いものを用いることができる。
【００２１】
本発明のペット介護用マット１を使用する際は、ペットＰのお尻周りの毛は短く刈っておくと、糞尿で汚れることが減るし、蒸しタオルなどで拭いて清潔に保つことができるので望ましい。
【００２２】
本発明は犬や猫などの他、四足動物のペットに適用できる。
【符号の説明】
【００２３】
１          ペット介護用マット
２          弾性マット
２１        三次元網状構造体
２２        連続線条体
２３        カバー
３          防水シート
Ｐ          ペット
【図１】
2017108648.tif 000003
【図２】
2017108648.tif 000004
【図３】
2017108648.tif 000005
【図４】
2017108648.tif 000006
【図５】
2017108648.tif 000007